(57)【要約】【課題】壁などの隠蔽部材の裏側に比較的大きな空間がなくても、また、既設のガスコンセントに対しても簡単にカバー体を取付けることができ、さらに、スライド板のスライド操作も比較的円滑に行い得るガスコンセントの取付け構造。【解決手段】隠蔽部材Ｗ裏側のガス管Ｐに接続されるガス栓本体１と、ガス栓本体１を保持するスライド板２と、スライド板２をスライド自在に保持するバックプレート３と、バックプレート３または隠蔽部材Ｗに固定される取付板１１と、着脱ユニット４と、隠蔽部材Ｗの表側空間と裏側空間を気密に維持するカバー体５とを備えているガスコンセントの取付け構造で、カバー体５が、ガス栓本体１を気密状態で貫通させるガス栓用貫通孔５ａを備えて隠蔽部材Ｗの表側から開口部Ｏを通して裏側へ挿入自在に構成され、着脱ユニット４を表側空間側に位置させた状態で取付け自在に構成されている。【選択図】図４
2008208948.tif 000002
【特許請求の範囲】
【請求項１】
壁などの隠蔽部材の裏側に配設のガス管に接続されるガス栓本体と、そのガス栓本体を前記隠蔽部材の裏側で保持するスライド板と、そのスライド板を前記隠蔽部材に設けられた開口部に対して遠近方向にスライド自在に保持して前記隠蔽部材の裏側に固定配置されるバックプレートと、前記隠蔽部材の表側から前記バックプレートまたは隠蔽部材に固定される取付板と、その取付板と前記スライド板の間に挟み込まれて取付けられる着脱ユニットと、前記隠蔽部材の裏側に配置されて隠蔽部材の表側空間と裏側空間を気密に維持するカバー体とを備え、前記ガス栓本体が前記開口部に臨む状態で前記隠蔽部材の裏側に取付けられるガスコンセントの取付け構造であって、
前記カバー体が、前記ガス栓本体を気密状態で貫通させるガス栓用貫通孔を備えて前記隠蔽部材の表側から前記開口部を通して裏側へ挿入自在に構成され、前記着脱ユニットを前記表側空間側に位置させた状態で取付け自在に構成されているガスコンセントの取付け構造。
【請求項２】
前記取付板と着脱ユニットとスライド板が、前記取付板に設けられた複数のボルト孔と前記着脱ユニットに設けられた複数のボルト挿通用脚部を貫通して前記スライド板に螺合される複数のボルトにより一体的に取付け自在に構成され、前記カバー体が、前記ボルト貫通用の複数の貫通孔を備え、その複数のボルト貫通孔の周縁が、各ボルト挿通用脚部とスライド板の間に挟み込まれて気密に維持される請求項１に記載のガスコンセントの取付け構造。
【発明の詳細な説明】
【技術分野】
【０００１】
本発明は、壁などの隠蔽部材の裏側に配設のガス管に接続されるガス栓本体と、そのガス栓本体を前記隠蔽部材の裏側で保持するスライド板と、そのスライド板を前記隠蔽部材に設けられた開口部に対して遠近方向にスライド自在に保持して前記隠蔽部材の裏側に固定配置されるバックプレートと、前記隠蔽部材の表側から前記バックプレートまたは隠蔽部材に固定される取付板と、その取付板と前記スライド板の間に挟み込まれて取付けられる着脱ユニットと、前記隠蔽部材の裏側に配置されて隠蔽部材の表側空間と裏側空間を気密に維持するカバー体とを備え、前記ガス栓本体が前記開口部に臨む状態で前記隠蔽部材の裏側に取付けられるガスコンセントの取付け構造に関する。
【背景技術】
【０００２】
このようなガスコンセントの取付け構造としては、従来、隠蔽部材の一例である壁の表側空間と裏側空間を気密に維持するカバー体が、壁の裏側に配設されたガス管を気密状態で貫通させるガス管用貫通孔を備えていて、ガス栓本体やスライド板などを壁の裏側から完全にスッポリと包み込む状態で、壁の裏面とパックプレートの間に挟持されて取付けられるように構成されたものが知られている（例えば、特許文献１参照）。
【０００３】
【特許文献１】特開２０００−３４６２４７号公報
【発明の開示】
【発明が解決しようとする課題】
【０００４】
ところが、上記特許文献に記載の取付け構造では、カバー体が、ガス栓本体やスライド板などを壁の裏側から完全にスッポリと包み込む構成であるため、カバー体がどうしても大きくなり、壁の裏側にカバー体を配置するだけの比較的大きな空間が不可欠となって、カバー体の取付けに制約を受けるという問題があった。
その上、カバー体が壁の裏面とパックプレートの間に挟持されて取付けられる構成であるため、カバー体の取付けは壁の施工前に限られていた。したがって、既設のガスコンセントに対し新たにカバー体を取付ける場合、壁を再施工する必要があり、既設のガスコンセントに対して簡単に取付けることができないという問題もあった。
また、ガス栓本体の取付けに際し、ガス栓本体を保持するスライド板をガス栓本体と一緒に壁の開口部側へスライドさせて取付けるのであるが、カバー体のガス管用貫通孔にガス管が挿通されており、そのガス管は、通常、スライド方向に直交する状態でガス管用貫通孔に挿通されているため、スライド板のスライド操作に際して抵抗力となり、スライド板のスライド操作を円滑に行い得ないという問題もあった。
【０００５】
本発明は、このような従来の諸々の問題点に着目したもので、その目的は、壁などの隠蔽部材の裏側に比較的大きな空間がなくても、また、既設のガスコンセントに対しても簡単にカバー体を取付けることができ、さらに、スライド板のスライド操作も比較的円滑に行い得るガスコンセントの取付け構造を提供することにある。
【課題を解決するための手段】
【０００６】
本発明の第１の特徴構成は、壁などの隠蔽部材の裏側に配設のガス管に接続されるガス栓本体と、そのガス栓本体を前記隠蔽部材の裏側で保持するスライド板と、そのスライド板を前記隠蔽部材に設けられた開口部に対して遠近方向にスライド自在に保持して前記隠蔽部材の裏側に固定配置されるバックプレートと、前記隠蔽部材の表側から前記バックプレートまたは隠蔽部材に固定される取付板と、その取付板と前記スライド板の間に挟み込まれて取付けられる着脱ユニットと、前記隠蔽部材の裏側に配置されて隠蔽部材の表側空間と裏側空間を気密に維持するカバー体とを備え、前記ガス栓本体が前記開口部に臨む状態で前記隠蔽部材の裏側に取付けられるガスコンセントの取付け構造であって、前記カバー体が、前記ガス栓本体を気密状態で貫通させるガス栓用貫通孔を備えて前記隠蔽部材の表側から前記開口部を通して裏側へ挿入自在に構成され、前記着脱ユニットを前記表側空間側に位置させた状態で取付け自在に構成されているところにある。
【０００７】
本発明の第１の特徴構成によれば、壁などの隠蔽部材の表側空間と裏側空間を気密に維持するカバー体が、ガス栓本体を気密状態で貫通させるガス栓用貫通孔を備えて隠蔽部材の表側から隠蔽部材の開口部を通して裏側へ挿入自在に構成され、着脱ユニットを表側空間側に位置させた状態で取付け自在に構成されているので、ガス栓本体やスライド板などを完全にスッポリと包み込む従来のカバー体に比べて、カバー体自体を小さくすることができ、かつ、そのカバー体を隠蔽部材の開口部を通して表側から取付けることが可能となる。
したがって、隠蔽部材の裏側に比較的大きな空間がなくてもカバー体を取付けることができ、また、既設のガスコンセントに対しても、隠蔽部材を再施工することなく簡単に取付けることができる。
さらに、カバー体にはガス栓用貫通孔が備えられ、その貫通孔にガス栓本体が挿通されるので、ガス栓本体のうち、スライド板のスライド方向に平行な部分を挿通させることによって、スライド板のスライド操作を円滑に行い得るという利点もある。
【０００８】
本発明の第２の特徴構成は、前記取付板と着脱ユニットとスライド板が、前記取付板に設けられた複数のボルト孔と前記着脱ユニットに設けられた複数のボルト挿通用脚部を貫通して前記スライド板に螺合される複数のボルトにより一体的に取付け自在に構成され、前記カバー体が、前記ボルト貫通用の複数の貫通孔を備え、その複数のボルト貫通孔の周縁が、各ボルト挿通用脚部とスライド板の間に挟み込まれて気密に維持されるところにある。
【０００９】
本発明の第２の特徴構成によれば、取付板と着脱ユニットとスライド板が、取付板に設けられた複数のボルト孔と着脱ユニットに設けられた複数のボルト挿通用脚部を貫通してスライド板に螺合される複数のボルトにより一体的に取付け自在に構成されているので、取付板と着脱ユニットとスライド板を複数のボルトにより一体化した状態で、隠蔽部材の表側から取付板をパックプレートまたは隠蔽部材に固定することにより、ガス栓本体を含む全ての部品を確実に取付けることができる。
そして、カバー体が、ボルト貫通用の複数の貫通孔を備え、その複数のボルト貫通孔の周縁が、各ボルト挿通用脚部とスライド板の間に挟み込まれて気密に維持されるので、隠蔽部材の表側空間と裏側空間の気密性も確実に維持される。
【発明を実施するための最良の形態】
【００１０】
本発明によるガスコンセントの取付け構造につき、その実施の形態を図面に基づいて説明する。
ガスコンセントの取付け構造は、図１に示すように、隠蔽部材としての壁Ｗの裏側にガス栓本体１を配置し、ガス栓本体１の筒部１ａ、つまり、外部のガス管を接続する筒部１ａが、壁Ｗに設けられた開口部Ｏに臨む状態で取付けられるもので、ガス栓本体１は、壁Ｗの裏側に配設されたガス管Ｐに接続され、図２に示すように、ビスなどによりスライド板２に固定されて保持され、そのスライド板２には、ボルト螺合用の４つのねじ孔２ａが設けられている。
スライド板２を保持するＬ字形のバックプレート３は、壁Ｗの裏側に配置された各種の固定部材、例えば、柱Ｈにビスなどで固定されて配置され、スライド板２が、そのバックプレート３に設けられたスライド孔３ａに係合され、スライド孔３ａに沿って開口部Ｏに対して遠近方向にスライド自在に保持される。
【００１１】
Ｌ字状のパックプレート３は、壁Ｗの開口部Ｏに対応する開口部３ｂとボルト螺合用の２つのねじ孔３ｃを備え、着脱ユニット４とカバー体５が、図３に示すように、壁Ｗの表側から壁Ｗの開口部Ｏとバックプレート３の開口部３ｂを通して壁Ｗの裏側へ挿入自在に構成されている。
着脱ユニット４は、正面視においてほぼ矩形で、その表側に開閉自在な蓋４ａを備え、その裏側の四隅には、中心にボルト挿通孔を有するボルト挿通用脚部４ｂがそれぞれ突設されている。
カバー体５は、壁Ｗの裏側に配置されて壁Ｗの表側空間と裏側空間を気密に維持するためのもので、ゴムや合成樹脂などの比較的柔らかい材料により形成され、必要に応じて適宜変形させながら両開口部Ｏ，３ｂから壁Ｗの裏側へ挿入自在に構成されている。
【００１２】
そのカバー体５は、ほぼ矩形の有底筒状で、その底部が内側へ凹入する形状に形成されている。具体的には、外周壁を形成する４つの外壁部６と底壁を形成する外底壁部７を備え、さらに、その外底壁部７に連続して内側へ凹入する４つの内壁部８を備え、内壁部８の端部に内底壁部９を備えて形成され、外壁部６の端部には、外側へ突出するフランジ部１０が連設されている。
そして、カバー体５の内底壁部９には、ガス栓本体１の筒部１ａよりも若干径の小さいガス栓用貫通孔５ａが設けられ、カバー体５の外底壁部７には、ボルト貫通用の貫通孔５ｂが４つ設けられている。
【００１３】
着脱ユニット４の表側には、壁Ｗの表側から固定可能な取付板１１が配置され、その取付板１１には、着脱ユニット４の蓋４ａが露出する開口部１１ａが設けられるとともに、スライド板２のねじ孔２ａと着脱ユニット４のボルト挿通用脚部４ｂに対応して合計４つのボルト貫通用のボルト孔１１ｂが設けられている。そして、この取付板１１には、パックプレート３のねじ孔３ｃに対応して２つのボルト貫通用のボルト孔１１ｃが設けられ、さらに、ビス螺合用のねじ孔１１ｄも設けられている。
取付板１１の表側には、額縁状のプレート枠１２が配置され、さらに、そのプレート枠１２の表側には、着脱ユニット４の蓋４ａが露出する開口部１３ａを備えたプレート１３が配置され、プレート枠１２には、取付板１１のねじ孔１１ｄに対応してビス挿通用のビス孔１２ａが設けられている。
【００１４】
つぎに、４本の着脱ユニット取付け用ボルト１４、２本の固定用ボルト１５、および、２本のビス１６などを使用して、ガス栓本体１やカバー体５などを取付け固定する手順について説明する。
ただし、以下の手順は単なる一例であって、実際の取付け固定時においては、多少相前後することもあり得る。
また、本発明のガスコンセント取付け構造によれば、壁Ｗの施工前はもちろんのこと、壁Ｗの施工後、つまり、既設のガスコンセントにおいてもカバー体５を取付けることができ、以下においては、既設のガスコンセントにカバー体５を取付ける手順について説明する。
【００１５】
まず、既設のガスコンセントにおいて、プレート１３、プレート枠１２、取付板１１、着脱ユニット４などを取り外し、その状態で、図３に示すように、カバー体５を壁Ｗの開口部Ｏとバックプレート３の開口部３ｂを通して挿入し、ガス栓本体１の筒部１ａにカバー体５のガス栓用貫通孔５ａを外嵌する。
その後、カバー体５内へ着脱ユニット４を挿入し、着脱ユニット４の表側に取付板１１を配置して、取付板１１のボルト孔１１ｂ、着脱ユニット４のボルト挿通用脚部４ｂ、カバー体５のボルト貫通孔５ｂを通して着脱ユニット取付け用ボルト１４を挿入し、スライド板２のねじ孔２ａに螺合する。この着脱ユニット取付け用ボルト１４の螺合によって、図４（この図の左半分は、着脱ユニット取付け用ボルト１４の中心を通る横断平面図を示し、右半分は、ガス栓本体の筒部１ａの中心を通る横断平面図を示す）に示すように、ガス栓本体１を保持するスライド板２がバックプレート３のスライド孔３ａに沿ってスライドして壁Ｗ側へ引き寄せられる。
【００１６】
その状態で、着脱ユニット４が、取付板１１とスライド板２の間に挟み込まれて取付けられ、カバー体５のフランジ部１０が、壁Ｗの表側面と取付板１１の間に位置するとともに、カバー体５の各ボルト貫通孔５ｂの周縁が、各ボルト挿通用脚部４ｂとスライド板２の間に挟み込まれて気密に維持される。
その後、取付板１１のボルト孔１１ｃを通して固定用ボルト１５を挿入し、バックプレート３のねじ孔３ｃに螺合し、さらに、取付板１１の表側にプレート枠１２を配置し、プレート枠１２のビス孔１２ａを通してビス１６を挿入し、取付板１１のねじ孔１１ｄに螺合する。
それによって、カバー体５のフランジ部１０が、壁Ｗの表側面と取付板１１の間に挟持され、全ての部品が固定された状態で取付けられ、最後に、プレート１３をプレート枠１２に取付けて作業を完了する。
【００１７】
〔別実施形態〕
（１）先の実施形態では、底部が内側へ凹入した形状のカバー体５を示したが、図５および図６に示すような形状のカバー体５を使用することもできる。
すなわち、別の実施形態によるカバー体５は、４つの外壁部６と外底壁部７からなるほぼ矩形の有底筒状で、外壁部６の端部にフランジ部１０が連設されて形成されている。
このカバー体５の場合には、外底壁部７にガス栓用貫通孔５ａとボルト貫通孔５ｂを設けることになり、ボルト貫通孔５ｂに対しては、図６に示すように、着脱ユニット取付け用ボルト１４が、着脱ユニット４のボルト挿通用脚部４ｂと一緒に挿通される。
【００１８】
（２）先の実施形態では、固定用ボルト１５により取付板１１をバックプレート３に固定した例を示したが、壁Ｗが丈夫なものであれば、取付板１１を壁Ｗに固定することもでき、また、隠蔽部材の一例として壁Ｗを示したが、遮蔽部材としては、壁Ｗのみならず床なども含むものである。
【図面の簡単な説明】
【００１９】
【図１】ガスコンセントの取付け状態を示す斜視図
【図２】ガスコンセントの取付け構造の分解斜視図
【図３】ガスコンセントの取付け工程を示す横断平面図
【図４】ガスコンセントの取付け構造を示す横断平面図
【図５】別の実施形態によるガスコンセントの取付け工程を示す横断平面図
【図６】別の実施形態によるガスコンセントの取付け構造を示す横断平面図
【符号の説明】
【００２０】
１        ガス栓本体
２        スライド板
３        バックプレート
４        着脱ユニット
４ｂ      ボルト挿通用脚部
５        カバー体
５ａ      ガス栓用貫通孔
５ｂ      ボルト貫通孔
１１      取付板
１１ｂ    ボルト孔
１４      ボルト
Ｐ        ガス管
Ｗ        隠蔽部材
Ｏ        隠蔽部材の開口部
【図１】
2008208948.tif 000003
【図２】
2008208948.tif 000004
【図３】
2008208948.tif 000005
【図４】
2008208948.tif 000006
【図５】
2008208948.tif 000007
【図６】
2008208948.tif 000008